(57)【特許請求の範囲】
【請求項１】
複数のシートを積載可能な給送カセットと、
前記給送カセットから給送されたシートを、位置合わせした状態で更に下流側に搬送させるレジストレーションローラ対と、
画像形成装置の装置本体に対して開閉可能で前記装置本体の内部を開放する開閉部材と、を備え、
前記レジストレーションローラ対にシートを給送可能かつ複数のシートを積載可能なオプション給送ユニットを装着可能な画像形成装置であって、
前記開閉部材よりも前記装置本体の内側に配置され、前記装置本体に対して開閉可能で、トナー像が転写される位置からトナー像が定着される位置までシートを案内するガイド部材を備え、
前記開閉部材と前記ガイド部材が共に前記装置本体に対して開いた状態では、トナー像が転写される位置からトナー像が定着される位置までの第１シート搬送路が開放され、前記開閉部材が前記装置本体に対して開いた状態かつ前記ガイド部材が前記装置本体に対して閉じた状態では、前記オプション給送ユニットにおけるシート給送部から前記レジストレーションローラ対へシートを搬送する第２シート搬送路が開放可能であり、
前記装置本体には、前記オプション給送ユニットにおけるシート給送部から前記ガイド部材に至るシート搬送路中に、シートを案内する補助ガイド部材が開閉可能に設けられており、
前記開閉部材が開きかつ前記ガイド部材が閉じた状態で、前記補助ガイド部材が開かれることで、前記第２シート搬送路が開放されることを特徴とする画像形成装置。
【請求項２】
前記開閉部材を前記装置本体に対して開くと、前記ガイド部材が連動して前記装置本体に対して開くことを特徴とする請求項１に記載の画像形成装置。
【請求項３】
前記開閉部材は回転することで前記装置本体に対して開閉可能であり、前記ガイド部材は回転することで前記装置本体に対して開閉可能であることを特徴とする請求項１又は２に記載の画像形成装置。
【請求項４】
前記開閉部材と前記ガイド部材とを係止させる第１係止構造と、
前記開閉部材と前記装置本体における枠体とを係止させる第２係止構造と、を備えており、
第１係止構造における係止力の方が、第２係止構造における係止力よりも大きいことを特徴とする請求項１乃至３のいずれか１項に記載の画像形成装置。
【請求項５】
前記開閉部材と前記ガイド部材とを係止させる第１係止構造と、
前記開閉部材と前記装置本体における枠体とを係止させる第２係止構造と、を備えており、
第１係止構造における係止位置と、第２係止構造における係止位置は、前記開閉部材の回動軸線に対して垂直な方向に直線的に並んでいることを特徴とする請求項１乃至４のいずれか１項に記載の画像形成装置。
【請求項６】
複数のシートを積載可能な給送カセットと、
前記給送カセットから給送されたシートを、位置合わせした状態で更に下流側に搬送させるレジストレーションローラ対と、
画像形成装置の装置本体に第１の回転軸を中心に回転可能に軸支され、回転することにより前記装置本体の内部を開放する開閉動作が可能な開閉部材と、を備え、
前記レジストレーションローラ対にシートを給送可能かつ複数のシートを積載可能なオプション給送ユニットを装着可能な画像形成装置であって、
前記開閉部材よりも前記装置本体の内側に配置され、前記装置本体に前記第１の回転軸と異なる第２の回転軸を中心に回転可能に軸支されており、前記開閉部材と対向する側とは反対側においてトナー像が転写される位置からトナー像が定着される位置までの第１シート搬送路を形成し、シートを案内するとともに、回転することにより前記第１シート搬送路を開放する開閉動作が可能な第１ガイド部材と、
前記オプション給送ユニットから前記レジストレーションローラ対へシートを搬送する第２シート搬送路を形成する第２ガイド部材と、を備え、
前記開閉部材と前記第１ガイド部材が共に前記装置本体に対して開いた状態では、前記第１シート搬送路が開放され、
前記開閉部材が前記装置本体に対して開いた状態かつ前記第１ガイド部材が前記装置本体に対して閉じた状態では、前記開閉部材と前記第１ガイド部材との間に前記第２ガイド部材が露出することを特徴とする画像形成装置。
【請求項７】
前記開閉部材を前記装置本体に対して開くと、前記第１ガイド部材が前記開閉部材に係止されていることで、前記第１ガイド部材が連動して回転し、前記第１シート搬送路が開放されることを特徴とする請求項６に記載の画像形成装置。
【請求項８】
前記装置本体には、前記オプション給送ユニットにおけるシート給送部から前記第１ガイド部材に至るシート搬送路中に、シートを案内する補助ガイド部材が開閉可能に設けられており、
前記開閉部材が開きかつ前記第１ガイド部材が閉じた状態で、前記補助ガイド部材が開かれることで、前記第２シート搬送路が開放されることを特徴とする請求項６または７に記載の画像形成装置。
【請求項９】
前記開閉部材と前記第１ガイド部材とを係止させる第１係止構造と、
前記開閉部材と前記装置本体における枠体とを係止させる第２係止構造と、を備えており、
第１係止構造における係止力の方が、第２係止構造における係止力よりも大きいことを特徴とする請求項６乃至８のいずれか１項に記載の画像形成装置。
【請求項１０】
前記開閉部材と前記第１ガイド部材とを係止させる第１係止構造と、
前記開閉部材と前記装置本体における枠体とを係止させる第２係止構造と、を備えており、
第１係止構造における係止位置と、第２係止構造における係止位置は、前記開閉部材の回動軸線に対して垂直な方向に直線的に並んでいることを特徴とする請求項６乃至９のいずれか１項に記載の画像形成装置。
【発明の詳細な説明】
【技術分野】
【０００１】
本発明は、電子写真記録方式によって画像を形成する画像形成装置に関する。
【背景技術】
【０００２】
従来、給送カセットが２段設けられている画像形成装置であって、２段の給送カセットのいずれからシートが給送されても共有の搬送路をシートが通る過程でシートに画像が形成される画像形成装置が知られている。特許文献１では、ジャムを解消する際に単一のドアを開けることで、２段の給送カセットのそれぞれに対応して設けられる給送部と、トナー像が転写される位置からトナー像が定着される位置までの搬送路とを同時に全て開放できる技術が開示されている。
【０００３】
しかしながら、特許文献１においては、ジャムを解消する際に開くドアが大型化してしまう。また、特許文献１においては、ドアを開けた場合にレジストレーションローラ対のニップも開放される構成が採用されているため、レジストレーションローラ対のアライメントの確保が難しくなる。
【先行技術文献】
【特許文献】
【０００４】
【特許文献１】特開２００６−２５９４４９号公報
【発明の概要】
【発明が解決しようとする課題】
【０００５】
そこで、本発明は、ジャムを解消する際に開くドアの大型化を抑制することを目的とする。
【課題を解決するための手段】
【０００６】
上記目的を達成するために、本発明の画像形成装置は、
複数のシートを積載可能な給送カセットと、
前記給送カセットから給送されたシートを、位置合わせした状態で更に下流側に搬送させるレジストレーションローラ対と、
画像形成装置の装置本体に対して開閉可能で前記装置本体の内部を開放する開閉部材と、を備え、
前記レジストレーションローラ対にシートを給送可能かつ複数のシートを積載可能なオプション給送ユニットを装着可能な画像形成装置であって、
前記開閉部材よりも前記装置本体の内側に配置され、前記装置本体に対して開閉可能で、トナー像が転写される位置からトナー像が定着される位置までシートを案内するガイド部材を備え、
前記開閉部材と前記ガイド部材が共に前記装置本体に対して開いた状態では、トナー像が転写される位置からトナー像が定着される位置までの第１シート搬送路が開放され、前記開閉部材が前記装置本体に対して開いた状態かつ前記ガイド部材が前記装置本体に対して閉じた状態では、前記オプション給送ユニットにおけるシート給送部から前記レジストレーションローラ対へシートを搬送する第２シート搬送路が開放可能であり、
前記装置本体には、前記オプション給送ユニットにおけるシート給送部から前記ガイド部材に至るシート搬送路中に、シートを案内する補助ガイド部材が開閉可能に設けられており、
前記開閉部材が開きかつ前記ガイド部材が閉じた状態で、前記補助ガイド部材が開かれることで、前記第２シート搬送路が開放されることを特徴とする。
また、上記目的を達成するために、本発明の画像形成装置は、
複数のシートを積載可能な給送カセットと、
前記給送カセットから給送されたシートを、位置合わせした状態で更に下流側に搬送させるレジストレーションローラ対と、
画像形成装置の装置本体に第１の回転軸を中心に回転可能に軸支され、回転することにより前記装置本体の内部を開放する開閉動作が可能な開閉部材と、を備え、
前記レジストレーションローラ対にシートを給送可能かつ複数のシートを積載可能なオプション給送ユニットを装着可能な画像形成装置であって、
前記開閉部材よりも前記装置本体の内側に配置され、前記装置本体に前記第１の回転軸と異なる第２の回転軸を中心に回転可能に軸支されており、前記開閉部材と対向する側とは反対側においてトナー像が転写される位置からトナー像が定着される位置までの第１シート搬送路を形成し、シートを案内するとともに、回転することにより前記第１シート搬送路を開放する開閉動作が可能な第１ガイド部材と、
前記オプション給送ユニットから前記レジストレーションローラ対へシートを搬送する第２シート搬送路を形成する第２ガイド部材と、を備え、
前記開閉部材と前記第１ガイド部材が共に前記装置本体に対して開いた状態では、前記第１シート搬送路が開放され、
前記開閉部材が前記装置本体に対して開いた状態かつ前記第１ガイド部材が前記装置本体に対して閉じた状態では、前記開閉部材と前記第１ガイド部材との間に前記第２ガイド部材が露出することを特徴とする。
【発明の効果】
【０００７】
本発明によれば、ジャムを解消する際に開くドアの大型化を抑制することができる。
【図面の簡単な説明】
【０００８】
【図１】実施例に係る画像形成装置の概略図
【図２】実施例に係る画像形成装置の外観斜視図
【図３】実施例において開閉部材とガイド部材とが開いている状態を示す図
【図４】実施例における補助ガイド部材の開閉動作を示す図
【図５】実施例における補助ガイド部材の開閉動作を示す拡大図
【図６】実施例において開閉部材のみが開いている状態を示す図
【図７】実施例における開閉部材を示す図
【図８】実施例において開閉部材と枠体とが係止されている状態を示す図
【図９】実施例においてガイド部材が閉じている状態を示す図
【図１０】実施例においてガイド部材が開いている状態を示す図
【発明を実施するための形態】
【０００９】
以下に図面を参照して、本発明の実施例を例示する。ただし、実施例に記載されている構成部品の寸法や材質や形状やそれらの相対配置などは、発明が適用される装置の構成や各種条件などにより適宜変更されるべきものであり、この発明の範囲を以下の実施例に限定する趣旨ではない。
【００１０】
図１は、実施例に係る画像形成装置の概略図である。実施例では、画像形成装置としてレーザビームプリンタを例示する。画像形成装置Ａの装置本体１００（画像形成装置本体）内には、記録材であるシートＳにトナー像を形成するトナー像形成手段と、シートＳに形成されたトナー像を加熱しながら加圧することでシートにトナー像を定着させる定着手段とが設けられている。トナー像形成手段は、レーザスキャナ１と感光体ドラム２ａ〜２ｄと一次転写ローラ４ａ〜４ｄと現像ローラ５ａ〜５ｄと中間転写ベルト８とを有する。また、定着手段は、可撓性のスリーブ２６と、スリーブ２６に圧接する加圧ローラ２５とを有する。ここで、必要のない限りは、感光体ドラム２ａ〜２ｄは感光体ドラム２として、一次転写ローラ４ａ〜４ｄは一次転写ローラ４として、現像ローラ５ａ〜５ｄは現像ローラ５として説明する。
【００１１】
画像形成装置Ａは、２つのシート給送ユニットを有する。第１のシート給送ユニットは、装置本体１００の内部に設けられる本体給送ユニット２０である。また、第２のシート給送ユニットは、装置本体１００の下方に装着可能なオプション給送ユニット９０である。本体給送ユニット２０は、複数のシートＳを積載可能な給送カセット２１と、シート搬送路にシートＳを給送可能なピックアップローラ２２と、ピックアップローラ２２によって給送されたシートＳを搬送するフィードローラ２３とを有する。また、本体給送ユニット２０は、給送カセット２１に積載された複数のシートＳを一枚ずつ分離する分離ローラ２４を有する。給送カセット２１に積載されたシートＳは、フィードローラ２３と分離ローラ２４とからなるニップ部へ向かってピックアップローラ２２によって給送され、フィードローラ２３と分離ローラとによってレジストレーションローラ対１３に向かって搬送される。ここで、レジストレーションローラ対１３は、レジストレーションローラ１３Ａとレジストレーションローラ１３Ｂを有する。
【００１２】
オプション給送ユニット９０は、オプション給送カセット９１とピックアップローラ９２とフィードローラ９３と分離ローラ９４とを有する。オプション給送カセット９１に積載されたシートＳは、ピックアップローラ９２によってシート搬送路に給送され、オプション搬送ローラ９６とオプション搬送ローラ９７とのニップ部である給送位置Ｑにフィードローラ９３によって搬送される。また、オプション給送カセット９１に積載されたシートＳは、分離ローラ９４によって一枚ずつ分離される。フィードローラ９３によって搬送されたシートＳは、オプション搬送ローラ９６とオプション搬送ローラ９７とによって装
置本体１００に搬送され、オプション給送搬送路９８Ｂを通ってレジストレーションローラ対１３に案内される。
【００１３】
レジストレーションローラ対１３に向かって搬送されたシートＳは、レジストレーションローラ対１３によって、位置合わせされた状態で、シート搬送方向下流側に更に搬送される。これにより、シートＳは、二次転写ローラ１０と二次転写対向ローラ１５とのニップ部に搬送される。感光体ドラム２には、レーザスキャナ１からレーザ光が照射されることで静電潜像が形成される。感光体ドラム２に形成された静電潜像に現像ローラ５によって現像剤が供給されることで、感光体ドラム２にトナー像が形成される。感光体ドラム２に形成されたトナー像は、一次転写ローラ４によって中間転写ベルト８に転写される。
【００１４】
カラー画像を形成する場合は、イエローとマゼンダとシアンとブラックのトナー像が各感光体ドラム２に形成され、各色のトナー像が中間転写ベルト８上に重ねて転写される。中間転写ベルト８は、テンション張架ローラ７とアイドラローラ９とアイドラローラ１１と二次転写対向ローラ１５とによって張架されており、二次転写対向ローラ１５によって回転させられる。
【００１５】
中間転写ベルト８に形成されたトナー像は、二次転写ローラ１０と二次転写対向ローラ１５とのニップ部である転写位置ＴにおいてシートＳに転写される。トナー像が転写されたシートＳは、搬送ガイド１６（ガイド部材）によってガイドされ、加圧ローラ２５とスリーブ２６とのニップ部に搬送される。加圧ローラ２５とスリーブ２６とによってシートＳが加熱されながら加圧されることでトナー像がシートＳに定着する。このように、本実施例に係る画像形成装置は、トナー像形成手段によってシートＳにトナー像を形成し、トナー像が形成されたシートＳに定着手段によってトナー像を定着させることでシートＳに画像形成を行う。トナー像が定着されたシートＳは、その後、排紙ローラ２７と排紙ローラ２８とにより排紙トレイ３１に排出される。
【００１６】
次に、画像形成動作中にジャムが発生した場合に、ジャムの原因となったシートをユーザが取り除く方法について説明する。図２は、実施例に係る画像形成装置の外観斜視図である。図３は、実施例において開閉部材とガイド部材とが開いている状態を示す図である。図４は、実施例における補助ガイド部材の開閉動作を示す図である。図５は、実施例における補助ガイド部材の開閉動作を示す拡大図である。ジャムが発生した場合には、図２に示すように、ユーザアクセスドア６０（開閉部材）をユーザが装置本体１００に対して開いて装置本体１００内部（装置本体内部）シート搬送路を開放することで、滞留したシートを取り除くことができる。
【００１７】
ここで、ユーザアクセスドア６０を開いた場合、レジストレーションローラ１３Ａとレジストレーションローラ１３Ｂとのニップは解除されない。ユーザアクセスドア６０と搬送ガイド１６とがレジストレーションローラ対１３とは独立して回動可能に軸支されているため、レジストレーションローラ対１３のアライメントに影響がない。また、レジストレーションローラ対１３にモータ（不図示）からの駆動力を伝える機構にはワンウェイクラッチが採用されているため、レジストレーションローラ対１３には一回転方向のみしかモータからの駆動が伝わらない。つまり、レジストレーションローラ自身を正回転方向に回す場合、モータとの駆動連結が切れるため、レジストレーションローラの搬送方向下流側から、レジストレーションローラ対１３に挟まれたシートＳをユーザが容易に引き抜くことが可能となる。また、ユーザアクセスドア６０を閉じる場合に、レジストレーションローラ対１３のニップ圧に抗してユーザがユーザアクセスドア６０を閉じる必要がないため、ユーザアクセスドア６０を容易に閉じることができる。
【００１８】
ユーザアクセスドア６０は、図１に示す断面図においては、回動支点６１を支点として
回動することができ、ユーザアクセスドア６０を開くことで装置本体１００を開放可能となっている。また、搬送ガイド１６は、図１に示す断面図においては、回動支点１７を支点として回動し、装置本体１００に対して開閉することができる。但し、搬送ガイド１６は、ユーザアクセスドア６０よりも装置本体１００の内側に位置しているので、ユーザアクセスドア６０を開くことで形成される装置本体１００の開口部分を通過することで、装置本体１００に対して開くことができる。つまり、搬送ガイド１６を開く時は、ユーザアクセスドア６０が閉じている時にユーザアクセスドア６０があった空間に搬送ガイド１６が進入する。搬送ガイド１６が閉じた状態では、シートＳにトナー像が転写される位置である転写位置ＴからシートＳにトナー像が定着される位置である定着位置ＵまでシートＳを案内する。ユーザアクセスドア６０と搬送ガイド１６は、それぞれ独立して回動可能に軸支されるとともに、連動して開閉可能に構成されている。
【００１９】
ユーザアクセスドア６０と搬送ガイド１６がともに開いた状態では、転写位置Ｔから定着位置Ｕまでのシート搬送路であるシート搬送路９８Ａが開放された状態となる。ここで、オプション搬送ローラ９６とオプション搬送ローラ９７とのニップ部を給送位置Ｑとし、レジストレーションローラ対１３にシートＳがニップされる位置をニップ位置Ｒとする。なお、オプション搬送ローラ９６とオプション搬送ローラ９７とを有する構成をシート給送部とする。ユーザアクセスドア６０と搬送ガイド１６がともに開いた状態では、装置本体１００と給送ユニット９０内に形成された給送位置Ｑからニップ位置Ｒまでのシート搬送路であるオプション給送搬送路９８Ｂへアクセスできない状態である。
一方、ユーザアクセスドア６０が開いており搬送ガイド１６が閉じた状態では、装置本体１００と給送ユニット９０内に形成された給送位置Ｑからニップ位置Ｒまでのシート搬送路であるオプション給送搬送路９８Ｂへアクセス可能な状態である。
【００２０】
搬送ガイド１６を開く場合、二次転写ローラ１０が搬送ガイド１６に保持された状態で、二次転写ローラ１０と二次転写対向ローラ１５とのニップ部分（転写位置Ｔ）は開放される。また、オプション給送搬送路９８Ｂで発生したジャムを処理する場合、図４（ａ）と図５（ａ）に示すように、搬送ガイド１６のみを閉じることで、ユーザがオプション給送搬送路９８Ｂにアクセスできるようになる。オプション給送搬送路９８Ｂ中（シート搬送路中）には、図４（ｂ）と図５（ｂ）に示すように、可動ガイド５１（補助ガイド）が回動可能に設けられている。ユーザアクセスドア６０及び搬送ガイド１６が開いた状態では、搬送ガイド１６によって可動ガイド５１は覆われた状態であるため、ユーザが可動ガイド５１を開いてオプション給送搬送路９８Ｂを開放することが難しい。このような状態を、オプション給送搬送路９８Ｂへアクセスできない状態とする。
一方で、ユーザアクセスドア６０が開き、且つ、搬送ガイド１６が閉じた状態であれば、可動ガイド５１が露出し、搬送ガイド１６は可動ガイド５１が開くことを妨げない位置にあるため、ユーザが可動ガイド５１を開けることを認識できる状態である。従って、ユーザが可動ガイド５１を開くことで、給送位置Ｑからニップ位置Ｒまでの搬送路であるオプション給送搬送路９８Ｂが開放され、オプション給送搬送路９８Ｂにおけるシートを除去することができる。なお、可動ガイド５１は、回動支点５２を支点として回動することができる。このように、ユーザアクセスドア６０が開き、且つ、搬送ガイド１６が閉じた状態は、オプション給送搬送路９８Ｂを開放可能な状態である。なお、ユーザアクセスドア６０が開いた状態から搬送ガイド１６を閉じる際に、前記搬送ガイド１６の閉じ動作に連動して可動ガイド５１が装置本体１００に対して開く構成であってもよい。
【００２１】
次に、ユーザアクセスドア６０と搬送ガイド１６とが連動して開閉する仕組みについて説明する。図６は、実施例において開閉部材のみが開いている状態を示す図である。図７は、実施例における開閉部材を示す図である。図８は、実施例において開閉部材と枠体とが係止されている状態を示す図である。図９は、実施例においてガイド部材が閉じている状態を示す図である。図１０は、実施例においてガイド部材が開いている状態を示す図で
ある。
【００２２】
図６に示すように、搬送ガイド１６には連動爪１８が設けられており、ユーザアクセスドア６０の内側には連動爪６２が設けられている。連動爪１８と連動爪６２とが引っ掛かることで、ユーザアクセスドア６０と搬送ガイド１６とが係止される。ここで、ユーザアクセスドア６０と搬送ガイド１６とが係止する構造を第１係止構造とする。ユーザアクセスドア６０と搬送ガイド１６とが閉じている状態で連動爪１８と連動爪６２とが係止されるため、ユーザアクセスドア６０を開いた場合に、搬送ガイド１６も連動して開くことになる。
【００２３】
また、図８に示すように、ユーザアクセスドア６０にはロック爪６３が設けられており、本体外装カバー７０（枠体）にはロック爪７１が設けられている。ユーザアクセスドア６０を閉じた場合、ロック爪６３がロック爪７１に引っ掛かることで、ユーザアクセスドア６０と本体外装カバー７０とが係止される。ここで、ユーザアクセスドア６０と本体外装カバー７０とを係止させる構造を第２係止構造とする。
【００２４】
図９と図１０に示すように、搬送ガイド１６にはロック部１９が設けられており、本体外装カバー７０が固定された装置本体１００の枠体である本体フレームにはロック部８０が設けられている。搬送ガイド１６を閉じた場合、ロック部１９がロック部８０に引っ掛かることで、搬送ガイド１６と本体外装カバー７０とが係止される。ここで、搬送ガイド１６と本体フレームとを係止させる構造を第３係止構造とする。
【００２５】
ここで、第１係止構造における連動爪１８と連動爪６２の係止力は、第２係止構造におけるロック爪６３とロック爪７１との係止力よりも大きくなっている。また、第１係止構造における連動爪１８と連動爪６２の係止力は、第３係止構造におけるロック部１９とロック部８０との係止力よりも大きくなっている。ここで、第１係止構造において連動爪１８と連動爪６２とが係止される位置を係止位置Ｆとし、第２係止構造においてロック爪６３とロック爪７１とが係止される位置を係止位置Ｇとする。実施例では、図８に示すように、係止位置Ｆと係止位置Ｇは、ユーザアクセスドア６０の回動軸線６１Ａに対して垂直な方向（Ｈ方向）に直線的に並んでいる。
【００２６】
ユーザアクセスドア６０と搬送ガイド１６とが閉じた状態からユーザがユーザアクセスドア６０を開こうとすると、まず、ロック爪６３とロック爪７１との係止状態が解除される。そして、第１係止構造の係止力が第３係止構造の係止力よりも大きいため、次に、搬送ガイド１６におけるロック部１９と本体フレームにおけるロック部８０との係止状態が解除される。
【００２７】
ユーザアクセスドア６０をさらに開いていくと、ユーザアクセスドア６０と搬送ガイド１６とでは回動軸線が異なるため、連動爪１８と連動爪６２とがスライドし、連動爪１８と連動爪６２との係止状態が解除される。その後、搬送ガイド１６は、自重で開いていき、図２と図３に示すような状態になる。この状態では、ユーザアクセスドア６０の連動爪６２が、搬送ガイド１６の回動支点１７と反対側の部分を支持した状態となる。
続いて、ユーザアクセスドア６０と搬送ガイド１６とを閉じる仕組みについて説明する。ユーザアクセスドア６０を閉じる場合、ユーザアクセスドア６０と搬送ガイド１６とがともに開いた状態からユーザアクセスドア６０を閉めることでユーザアクセスドア６０と搬送ガイド１６とを同時に閉じる場合がある。また、搬送ガイド１６が閉じた状態からユーザアクセスドア６０のみを閉じる場合がある。
【００２８】
本実施例では、ユーザアクセスドア６０と搬送ガイド１６とでは回動軸線が異なる。したがって、ユーザアクセスドア６０を閉めることでユーザアクセスドア６０と搬送ガイド
１６とを同時に閉める場合、連動爪６２の回動軌道と連動爪１８の回動軌道とが交わる位置で連動爪６２と連動爪１８とが接触する。そこからユーザアクセスドア６０をさらに閉じていくと、連動爪６２と連動爪１８とがスライドし、連動爪６２と連動爪１８とが係止される。ユーザアクセスドア６０をさらに閉じると、ユーザアクセスドア６０に搬送ガイド１６が押圧されて、搬送ガイド１６におけるロック部１９と本体フレームにおけるロック部８０とが係止される。そして、ユーザアクセスドア６０をさらに閉じることで、ユーザアクセスドア６０におけるロック爪６３と本体外装カバー７０におけるロック爪７１とが係止される。
【００２９】
搬送ガイド１６が閉じている状態からユーザアクセスドア６０のみを閉じる場合、ユーザアクセスドア６０を閉じていくと、搬送ガイド１６における連動爪１８とユーザアクセスドア６０における連動爪６２とが係止される。なお、連動爪１８と連動爪６２の係止方式は、いわゆるスナップフィット方式である。連動爪１８は、樹脂によって形成されており、樹脂の弾性変形を利用して連動爪６２と係止する。ユーザアクセスドア６０をさらに閉じていくと、ユーザアクセスドア６０におけるロック爪６３と本体外装カバー７０におけるロック爪７１とが係止される。なお、本実施例では、第１係止構造と第２係止構造はともにスナップフィット方式となっている。
【００３０】
以上のように、実施例では、装置本体の下方にオプション給送ユニットが設けられている画像形成装置において、オプション給送ユニットにおけるジャムも解消できるようなユーザアクセスドアが装置本体に設けられている。
【００３１】
また、実施例では、画像形成装置にユーザアクセスドアが１つしか設けられていないため、ユーザアクセスドアの開閉を検知するための開閉検知手段は１つで足りる。画像形成装置における二次転写ローラには高い電圧が印加されており、また、装置本体内にはローラなどの回転体も複数設けられているため、ユーザアクセスドアが確実に閉まっている状態でないとユーザへの安全性が確保されない。ユーザの安全性を確保するために画像形成装置には開閉検知手段が設けられているが、本実施例では、ユーザアクセスドアが１つしか設けられていないため、開閉検知手段も１つで足りることになる。開閉検知手段の数が少ない分だけ画像形成装置の製造コストを下げることができる。
【００３２】
また、実施例では、ユーザアクセスドアを開けると搬送ガイドも連動して開く。転写位置から定着位置までのシート搬送路とオプション給送搬送路との両方を視認できるため、ユーザアクセスドアを開くことで、ジャムが発生している位置を容易に見つけ出すことができる。
また、実施例では、ユーザアクセスドアと搬送カバーとがレジストレーションローラ対とは独立して回動可能に軸支されている。これにより、ユーザアクセスドアと搬送カバーとを開いたとしても、レジストレーションローラ対のアライメントには影響が及ばない。
【００３３】
また、実施例では、オプション給送搬送路中にシートを案内する可動ガイドが回動可能に設けられている。シートを搬送する場合には可動ガイドを閉じて、ジャムを解消する場合には可動ガイドを開くことでオプション給送搬送路を開放することができる。
また、実施例では、第１係止構造における係止力が第２係止構造における係止力よりも大きく設定されているため、ユーザアクセスドアと搬送カバーとが係止状態となる場合には、ユーザアクセスドアと本体外装カバーとについても係止状態となる。
また、実施例では、第１係止構造における係止位置と第２係止構造における係止位置は、ユーザアクセスドアの回動軸線に対して垂直な方向に直線的に並んでいる。これにより、幅方向（回動軸線６１Ａ方向）においてユーザアクセスドア６０が撓んでいる場合でも、第１係止構造と第２係止構造の一方が係止されていない状態となることを抑制することができる。
【００３４】
また、実施例では、ユーザアクセスドアにおけるロック爪は、ユーザアクセスドアの回動軸線方向におけるユーザアクセスドアの中央近傍に配置されている。これにより、複数のロック爪の一部だけが係止されている状態となることを抑制することができる。実施例においては、２つのロック爪のうちの片方のみが係止される状態になることを抑制することができる。
なお、実施例では、画像形成装置としてフルカラーレーザプリンタを例示したが、画像形成装置の種類はこれに限られることはない。例えば、画像形成装置はモノクロレーザプリンタなどであってもよい。
【符号の説明】
【００３５】
１３…レジストレーションローラ対、１６…搬送ガイド、２１…給送カセット、
６０…ユーザアクセスドア、９０…給送ユニット、９８Ａ…シート搬送路、
９８Ｂ…オプション給送搬送路、１００…装置本体、Ａ…画像形成装置、Ｑ…給送位置、Ｒ…ニップ位置、Ｓ…シート、Ｔ…転写位置、Ｕ…定着位置
【図１】
0006512846.tif 000002
【図２】
0006512846.tif 000003
【図３】
0006512846.tif 000004
【図４】
0006512846.tif 000005
【図５】
0006512846.tif 000006
【図６】
0006512846.tif 000007
【図７】
0006512846.tif 000008
【図８】
0006512846.tif 000009
【図９】
0006512846.tif 000010
【図１０】
0006512846.tif 000011